(57)【要約】【課題】新たな部材を設けることなく、紙幣を保持可能な遊技台を提供する。【解決手段】コイン投入口１３４の右側に。操作台部３００と挟むことで、紙幣を保持可能な挟持部３０１を備える。挟持部には上側凸部が、操作台部３００には下側凸部が交互に設けられ、紙幣を撓ませることで、紙幣が落下せず保持される。【選択図】図２
2010213819.tif 000002
【特許請求の範囲】
【請求項１】
メダルを投入するメダル投入口を有するメダル投入部と、
前記メダル投入部に形成された第１の挟持面と、前記第１の挟持面と対向する第２の挟持面と、からなる紙類を挟持する紙類挟持部と、
を備えた遊技台であって、
前記第１の挟持面と前記第２の挟持面の少なくともいずれか一方又は両方に突出部を設けたことを特徴とする遊技台。
【請求項２】
前記第２の挟持面は、前記メダル投入部を挿通可能な挿通孔が設けられた操作面であることを特徴とする請求項１に記載の遊技台。
※操作面についての限定が可能なようにクレームアップ可能な文言で明細書内に詳細な記載を行うこと。
【請求項３】
前記紙類挟持部は、前記操作面に平行な状態に紙類を挟持することを特徴とする請求項１乃至２に記載の遊技台。
【請求項４】
前記突出部は、自身が備えられる面と一体的に成型されることを特徴とする請求項１乃至３に記載の遊技台。
【請求項５】
前記第１の挟持面に設けられた第１の突出部と前記第２の挟持面に設けられた第２の突出部は、互いに対向しない位置に設けられたことを特徴とする請求項１乃至４に記載の遊技台。
【請求項６】
前記突出部は、前記第１の挟持面と前記第２の挟持面との間に設けられた中空部の中心よりも突出して設けられることを特徴とする請求項１乃至５に記載の遊技台。
【請求項７】
前記突出部は、遊技者の視点位置として予め想定される所定の位置からは視認不能に設けられたことを特徴とする請求項１乃至６に記載の遊技台。
【請求項８】
前記メダル投入部は、前記紙類挟持部の近傍に紙類を挟持可能な旨を遊技者に報知する表示部を備えたことを特徴とする請求項１乃至７に記載の遊技台。
【請求項９】
複数種類の絵柄が施された複数のリールと、
前記リールの前面に配置され、一または複数の装飾が施されたリールパネルと、
前記リールパネルの前記リールと対応する位置に設けられたリール視認窓と、
を備えた遊技台であって、
前記紙類挟持部は、挟持した紙類が少なくとも前記リールパネル及び前記リール視認窓の一方又は両方の視認性を低下させないことを特徴とする請求項１乃至８に記載の遊技台。
【発明の詳細な説明】
【技術分野】
【０００１】
本発明は、スロットマシン、パチンコ機等に代表される遊技台に関する。
【背景技術】
【０００２】
従来、メダルを使用して遊技を行うスロットマシン等の遊技台は、まず、遊技台間に備えられたメダル貸し機に紙幣を投入することにより、遊技店から所定数のメダルを借りることで遊技が可能となっていた。遊技の進行にともない複数回メダルの貸し出しを受ける場合には、そのつど紙幣を取り出す必要があり、また、一般的にスロットマシン等の遊技台は遊技店に備えられた椅子に座りながら遊技を行うため、紙幣を取り出す作業は遊技者にとって非常に煩わしい作業であった。
【先行技術文献】
【特許文献】
【０００３】
【特許文献１】特開２００７−２４４４７４号公報
【発明の概要】
【発明が解決しようとする課題】
【０００４】
上述の発明により、遊技者はメダルを投入する投入口の背面に投入口とは別体に設けられたマネークリップに紙幣を挟み込むことでメダル貸し出しの際の煩わしい紙幣の取り出しという作業から開放されることとなる。しかし、メダル投入口の背面にメダル投入口とは別体のマネークリップを遊技台に備えたことにより、部材追加によるコストの増加や、予め想定された投入口周辺のデザイン性が低下するといった問題が生じていた。
【０００５】
また、遊技台に備えられた投入口とその近傍に備えられた部材によって生じた隙間に紙幣を挟持することは可能であったが、投入口はメダル等の遊技媒体が投入される際に、微小ではあるが常に振動するため、その振動により挟持した紙幣が脱落しやすいといった問題があった。更に、投入口の近傍に紙幣を挟持する構成を備えた場合には、メダルの投入動作を行う際に、干渉し、邪魔になるといった問題があった。
【０００６】
本発明では、遊技台に新たに部材を追加することなく、遊技台のデザイン性を維持しつつ、メダルの投入動作の邪魔にならずに紙類を挟持することが可能な遊技台を提供する。
【課題を解決するための手段】
【０００７】
上記目的を達成するため、本発明に係る遊技台は、メダルを投入するメダル投入口を有するメダル投入部と、前記メダル投入部に形成された第１の挟持面と、前記第１の挟持面と対向する第２の挟持面と、からなる紙類を挟持する紙類挟持部と、を備えた遊技台であって、前記第１の挟持面と前記第２の挟持面の少なくともいずれか一方又は両方に突出部を設けたことを特徴とする。
【０００８】
後述する実施例では、操作台部とコイン投入口の間に紙幣が挟めるような隙間を設け、それぞれの面に凸部を設けた。
【０００９】
よって紙類挟持部を構成する複数の挟持面に設けられた突出部が紙幣を撓ませることにより、挟持面に対する摩擦抵抗が大きくなることで、挟持された紙類が紙類挟持部から脱落しづらくなる。
【００１０】
また、本発明の別の態様では、更に、前記第２の挟持面は、前記メダル投入部を挿通可能な挿通孔が設けられた操作面であることを特徴とする。
【００１１】
後述する実施例においては、操作面として、遊技台中央に操作台部を設け、この平面部に紙幣を保持可能な下側凸部を設けた。
【００１２】
よって、メダル投入部の一部である第１の挟持面と、メダル投入部が挿入される挿通部を備える操作面の一部である第２の挟持面で紙類挟持部を構成することで、遊技台の構成を変更することなくコストや手間を掛けずに紙類の挟持が可能となる。
【００１３】
また、本発明の別の態様では、更に、前記紙類挟持部は、前記操作面に平行な状態に紙類を挟持することを特徴とする。
【００１４】
後述する実施例においては、コイン投入口の左側部に、紙幣を挟むための挟持部を設けた。
【００１５】
よって、挟まれた紙幣は横長の方向に保持されることになり、挟む対象が、紙幣以外の情報が書かれた紙などであった場合、操作面に平行な状態で紙類を挟持することで、紙類に表示されている情報を遊技者に読みやすい状態で挟持することが可能となる。
【００１６】
また、本発明の別の態様では、更に、前記突出部は、自身が備えられる面と一体的に成型されることを特徴とする。
【００１７】
後述する実施例においては、コイン投入口の一端に、挟持部を設け、この挟持部の下面に突起部を設けた。
【００１８】
よって、突出部を突出部が備えられる面と一体的に成型することで、新たな部材を追加することなく紙類の挟持が可能となり、デザインにも一体感を持たせることができる。
【００１９】
また、本発明の別の態様では、更に、前記第１の挟持面に設けられた第１の突出部と前記第２の挟持面に設けられた第２の突出部は、互いに対向しない位置に設けられたことを特徴とする。
【００２０】
後述する実施例においては、挟持部に設けられた上側凸部と、操作台部に設けられた下側凸部を、お互いの正面ではなく、それぞれずらした位置に設けた。
【００２１】
よって、複数の突出部を互いに対向しない位置に設けることで、異なる位置に圧力がえられるため、脱落を更に防ぐことが可能となる。
【００２２】
また、本発明の別の態様では、更に、前記突出部は、前記第１の挟持面と前記第２の挟持面との間に設けられた中空部の中心よりも突出して設けられることを特徴とする。
【００２３】
後述する実施例においては、挟持部と、操作台部の間に設けられた紙幣を挟むための空間に、上側凸部と下側凸部が突出するわけであるが、それぞれの突出部の頂点が、その空間の幅（高さ）の中心よりも高く（低く）なるように構成している。
【００２４】
よって、突出部を対向する面との間の中空部の中心よりも突出させたことで、複数の突出部を通過した際に紙類に加えられる押圧が強くなるため更に脱落を防ぐことが可能となる。
【００２５】
また、本発明の別の態様では、更に、前記突出部は、遊技者の視点位置として予め想定される所定の位置からは視認不能に設けられたことを特徴とする。
【００２６】
後述する実施例においては、上側凸部を挟時部の下面に、下側凸部を操作台部の上側の挟持部に隠れる部分に設けている。
【００２７】
よって、突出部を遊技者が遊技を行っている際に想定される視点位置からは視認不能な位置に設けることで、遊技台のデザイン性を崩すことなく紙幣を挟持することが可能となる。
【００２８】
また、本発明の別の態様では、更に、前記メダル投入部は、前記紙類挟持部の近傍に紙類を挟持可能な旨を遊技者に報知する表示部を備えたことを特徴とする。
【００２９】
後述する実施例においては、コイン投入口の左端の挟持部に、文字や記号や図を描いている。
【００３０】
よって、メダル投入部に設けられた紙幣挟持部の近傍に紙幣挟持部が備えられている旨の表示を行う表示部を備えたことにより、遊技台のデザイン性を崩すことなく、遊技者に紙幣を挟持することが可能である旨の表示を行うことが可能となる。
【００３１】
また、本発明の別の態様では、更に、複数種類の絵柄が施された複数のリールと、前記リールの前面に配置され、一または複数の装飾が施されたリールパネルと、前記リールパネルの前記リールと対応する位置に設けられたリール視認窓と、を備えた遊技台であって、前記紙類挟持部は、挟持した紙類が少なくとも前記リールパネル及び前記リール視認窓の一方又は両方の視認性を低下させないことを特徴とする。
【００３２】
後述する実施例においては、挟持部に挟まれた紙幣は、操作台部の水平面に平行に保持され、また第２の実施形態においても、遊技者側に紙幣が向かうように保持される。
【００３３】
よって、紙類挟持部が挟持した紙類が、リールパネル及びリールパネルに設けられたリール視認窓を通して視認可能となるリールの視認性を低下させないことで、装飾が視認不能となり遊技台の装飾性が低下したり、リールが視認不能となり遊技の進行に影響したりすることを防止することができる。
【発明の効果】
【００３４】
以上説明したように本発明の遊技台によれば、メダル投入部に紙類を挟持するための挟持面を備えたことで、遊技台に新たに部材を設けることなく、紙類を挟持することが可能となり、更に挟持面に設けられた突出部により紙類を撓ませることで、より強力に紙類を挟持することが可能となり、投入口に振動が加えられた際にも紙類を脱落することなく挟持することが可能となる。また遊技における最初の動作であるメダルの投入が行われるメダル投入口に紙幣挟持部を備えることで、常に遊技者に挟持された紙類を確認させることが可能となり、これにより、紙類の盗難や置忘れを防止することが可能となる。
【図面の簡単な説明】
【００３５】
【図１】本発明の一実施形態に係るスロットマシンの外観を示す斜視図である。
【図２】（ａ）コイン投入口１３４の正面図である。（ｂ）コイン投入口１３４を斜め下方から見上げた図である。
【図３】コイン投入口１３４と操作台部３００との組み付け図である。
【図４】第１の実施例に係る紙幣の保持状態を示す図である。
【図５】第２の実施例に係るコイン投入口１３４の正面図である。
【図６】第２の実施例に係る紙幣の保持状態を示す図である。
【図７】第３の実施例に係るコイン投入口の上面図である。
【図８】第３の実施例に係る紙幣の保持状態を示す図である。
【図９】（ａ）情報告知方法の一例を示す図である。（ｂ）情報告知方法の一例を示す図である。（ｃ）情報告知方法の一例を示す図である。
【図１０】（ａ）挟持手段の変形例の一例を示す図である。（ｂ）挟持手段の変形例の一例を示す図である。（ｃ）挟持手段の変形例の一例を示す図である。
【図１１】紙幣を挟む操作手順を示した図である。
【発明を実施するための形態】
【００３６】
以下、本発明の実施の形態について図面を用いて説明する。
【００３７】
以下、本発明の好適な実施の形態について添付図面を用いて詳細に説明する。図１は、本発明の一実施形態に係るスロットマシン１００の斜視図である。
【００３８】
図１に示すスロットマシン１００の本体１０１の中央内部には、外周面に複数種類の図柄が配置されたリールが３個（左リール１１０、中リール１１１、右リール１１２）収納され、スロットマシン１００の内部で回転できるように構成されている。本実施形態において、各図柄は帯状部材に等間隔で適当数（例えば２１図柄）印刷され、この帯状部材が所定の円形枠材に貼り付けられて各リール１１０乃至１１２が構成されている。
【００３９】
リール１１０乃至１１２上の図柄は、遊技者から見ると、表示窓１１３から縦方向に概ね３つ表示され、合計９つの図柄が見えるようになっている。そして、各リール１１０乃至１１２を回転させることにより、遊技者から見える図柄の組合せが変動することとなる。なお、本実施形態では、３個のリールをスロットマシン１００の中央内部に備えているが、リールの数やリールの設置位置はこれに限定されるものではない。
【００４０】
また、各々のリール１１０乃至１１２の背面には、表示窓１１３に表示される個々の図柄を照明するためのバックライト（図示省略）が配置されている。バックライトは、各々の図柄ごとに遮蔽されて個々の図柄を均等に照射できるようにすることが望ましい。
【００４１】
なお、スロットマシン内部において各々のリールの近傍には、投光部と受光部から成る光学式センサが設けられており、この光学式センサの投光部と受光部のあいだを、リールに設けられた一定の長さの遮光片が通過するように構成されている。このセンサの検出結果に基づいてリール上の図柄位置を判定し、目的とする図柄が入賞ライン１１４上に表示されるようにリール１１０乃至１１２を停止させる。
【００４２】
入賞ライン表示ランプ１２０は、有効となる入賞ラインを示すランプである。有効となる入賞ラインは、スロットマシン１００に投入された遊技媒体（例えばコイン）の投入枚数によって予め定まっている。例えば、コインが１枚投入された場合、中段の水平入賞ラインが有効となり、コインが２枚投入された場合、上段水平入賞ラインと下段水平入賞ラインが追加された３本が有効となり、コインが３枚投入された場合、右下り入賞ラインと右上り入賞ラインが追加された５本が入賞ラインとして有効になる。なお、入賞ラインの数については５本に限定されるものではない。
【００４３】
スタートランプ１２１は、リール１１０乃至１１２が回転することができる状態にあることを遊技者に知らせるランプである。再遊技ランプ１２２は、前回の遊技において入賞役の一つである再遊技に入賞した場合に、今回の遊技が再遊技可能であること（コインの投入が不要）を遊技者に知らせるランプである。告知ランプ１２３は、後述する内部抽選において、特定の入賞役（具体的には、ビッグボーナスやレギュラーボーナス等のボーナス）に内部当選していることを遊技者に知らせるランプである。コイン投入ランプ１２４は、コインの投入が可能であることを知らせるランプである。リールパネルランプ１２８は、演出用のランプである。コイン投入ボタン１３０、ＭＡＸＢＥＴボタン１３１は、スロットマシン１００に電子的に貯留されているコインを所定の枚数分投入するためのボタンである。
【００４４】
スロットマシン１００中央部には、様々な操作スイッチが操作台部３００上に設けられている。本実施形態においては、コイン投入ボタン１３０が押下される毎に１枚ずつ最大３枚まで投入され、ＭＡＸＢＥＴボタン１３１が押下されると３枚投入されるようになっている。コイン投入口１３４は、遊技を開始するに当たって遊技者がコインを投入するための投入口である。すなわち、コインの投入は、コイン投入ボタン１３０又はＭＡＸＢＥＴボタン１３１により電子的に投入することもできるし、コイン投入口１３４から実際のコインを投入することもできる。
【００４５】
払出枚数表示器１２５は、何らかの入賞役に入賞した結果、遊技者に払出されるコインの枚数を表示するための表示器である。遊技回数表示器１２６は、ビッグボーナスゲーム中（ＢＢゲーム中）の遊技回数や所定の入賞役の入賞回数等を表示するための表示器である。貯留枚数表示器１２７は、スロットマシン１００に電子的に貯留されているコインの枚数を表示するための表示器である。
【００４６】
スタートレバー１３５は、リール１１０乃至１１２の回転を開始させるためのレバーである。即ち、コイン投入口１３４に所望するコイン枚数を投入して、スタートレバー１３５を操作すると、リール１１０乃至１１２が回転を開始することとなる。
【００４７】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタンである。なお、各ストップボタン１３７乃至１３９の内部に発光体を設けてもよく、ストップボタン１３７乃至１３９の操作が可能である場合、該発光体を点灯させて遊技者に知らせることもできる。
【００４８】
貯留／精算ボタン１３２は、スロットマシン１００に電子的に貯留されたコインを精算し、コイン払出口１５５より受皿２１０に排出するための精算機能と、コイン投入口１３４に投入された４枚以降のコインや入賞により獲得したコインを最大５０枚まで電子的に貯留する貯留機能と、を切換えるためのボタンである。
【００４９】
コイン返却ボタン１３３は、投入されたコインが詰まった場合に押下してコインを取り除くためのボタンである。
【００５０】
ドアキー１４０は、スロットマシン１００の前面扉１０２のロックを解除するためのキーを挿入する孔である。コイン払出口１５５は、コインを払出すための払出口である。コイン受皿２１０は、コイン払出口１５５から払出されたコインを溜めるための器である。
【００５１】
音孔１６０は、スロットマシン１００内部に設けられているスピーカの音を外部に出力するための孔である。
【００５２】
上部ランプ１５０、サイドランプ１５１、腰部ランプ１５３は遊技を盛り上げるための装飾用のランプである。
【００５３】
灰皿部２００は、煙草の吸殻を入れるための容器であり、受け皿２１０の内側にネジ止めされている。
【００５４】
リールパネル１６１は、表示窓１１３を有するパネルであり、タイトルパネル１６２は、そのスロットマシンの機種名や各種のデザインが描かれるパネルである。
【００５５】
スロットマシン１００の上部には、本実施形態の特徴となる扉付液晶表示ユニット６００が設けられている。
【００５６】
次に、図２を用いて、本発明の特徴であるコイン投入口１３４の形状について説明する。
【００５７】
図２（ａ）はコイン投入口１３４の正面図、図２（ｂ）は、コイン投入口１３４を斜め下方から見上げた図である。本実施形態においては、操作台部３００の平面部にコイン投入口を差し込む形で取り付けられる構造になっており、図３に示すように、コイン投入口１３４に設けられた前側係合凸部３０４が、操作台部３００に設けられた前側係合凹部３０６に、また、コイン投入口１３４に設けられた後側係合凸部３０５が、操作台部３００に設けられた後側係合凹部３０７に嵌合することによって操作台部３００に組み付けられる。
【００５８】
コイン投入口１３４の左側には紙幣などを挟持するための挟持部３０１が左側に反り出す形で設けられている。この挟持部３０１の下面には、上側凸部３０２が設けられており、図２（ｂ）に示すように、下方面に突出するように形成されている。また、操作台部３００上には、下側凸部３０３が２箇所設けられており、この挟持部３０１と操作台部３００の隙間に紙幣などを挿入すると、それぞれの凸部に挟まれて保持される形になり、図４に示すように、操作台部３００上に紙幣を置いて手を離しても、紙幣が床に落下することがない。
【００５９】
なお、図２（ａ）では、上側凸部３０２及び下側凸部３０３が対向しない位置にそれぞれ設けられているが、紙幣が保持できれば、それぞれの凸部を設ける位置は適宜設定してよい。また、突出する高さは、隙間の高さ（空間）の中心よりも高く設定すると、紙幣が更に撓み、挟持されやすくなる。
【００６０】
図１１は、実際に紙幣を挟む動作手順を示した図である。最も簡便な挟み方は、図１１（ｂ）に示すように、操作台部３００の中央に紙幣を置き（図１１（ｂ）の（Ａ）及び（Ｂ））、そのまま右方向にスライドさせて挟み込む（図１１（ｂ）の（Ｃ））方法である。よって、ＭＡＸＢＥＴボタン１３１とコイン投入口１３４との距離は、ある程度余裕を持って紙幣が平行におけるスペースを確保するのが望ましい。
【００６１】
次に、図５及び図６を用いて本発明の第２の実施形態の説明を行う。
【００６２】
図５は、コイン投入口１３４の正面図である。上記第１の実施例においては、凸部がコイン投入口の左側に設けられていたが、本実施例では、遊技者側に設けられている。つまり、上側凸部３０２はコイン投入口１３４の中心線上に設けられ、下側凸部３０３は、中心線から等間隔に離れた所定箇所に設けられている。このように形成した場合、図６に示すように、紙幣は縦方向に保持されることになり、例えば遊技方法の説明などが書かれた遊技情報シール１７０が、操作台部３００の真ん中に貼られていた場合、それを隠すことなく、紙幣を保持することが可能となる。
【００６３】
次に、図７及び図８を用いて本発明の第３の実施例の説明を行う。
【００６４】
図７（ａ）は、本実施例に係るコイン投入口１３４の上面図である。本実施例では、リールパネル１６１とコイン投入口１３４の間に紙幣を挟むことができるように、中心部が円弧状にくびれた挟持面３１０を設けている。この両側に設けられた凸部３１０とリールパネル１６１とに狭持される形で紙幣が保持され、図８に示すように、紙幣は垂直方向に立つ形で支持される。またこのくびれ部を深く取るようにすると、図７（ｂ）に示すようにコイン投入の際、遊技者の人さし指をくびれ部に引っ掛けて投入操作が可能となるので、コイン投入操作しやすくなる。
【００６５】
また、遊技者が本発明の機能を把握しやすいように、コイン投入口の挟持部３０１に、紙幣を挟むことが出来ることを告知する情報を表示するようにしてもよい。例えば、図９（ａ）に示すように「ＣＬＩＰ」の文字や、図９（ｂ）に示すようにクリップの図や、図９（ｃ）に示すように「￥」のマークなどを描く。
【００６６】
また、挟持する手段は上記実施例で説明したような凸形状だけではなく、例えば、図１０（ａ）に示すような、ナイロン性のヘアでもよいし、図１０（ｂ）に示すように、コイル状のばね（弾性部材）を用いてもよいし、図１０（ｃ）に示すように、円弧状の弾性部材を用いてもよい。
【００６７】
また、紙類を挟持する、対向する複数の面は必ずしも水平に設けられていなくても良い。また、挟持面自体の形状は必ずしも平面である必要は無く、例えば面が波打っていても、曲面で構成されていても良い。（それに付随して、挟持面自体が突出する形状になっていても良い。）
投入口は、遊技台に設けられた遊技者が遊技の際に操作を行う部分の中でも、遊技の初期に操作が行われる部分であるため、比較的に目立ちやすい。また、右利きの遊技者が多いことから投入口は遊技台の右方に備えられることが一般的であり、それとともに、遊技機にメダルを供給する所謂サンドも遊技台の右方に設置されることが多い。このことから、遊技台の中でも比較的サンドに近い投入口に紙類（紙幣）を挟持することで、サンドに紙幣を投入する作業の短縮化を図ることできる。
【００６８】
以上、本発明の実施例を説明したが、具体例を例示したに過ぎず、特に本発明を限定するものではない。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【符号の説明】
【００６９】
１００・・・スロットマシン
３００・・・操作台部
３０１・・・挟持部
３０２・・・上側凸部
３０３・・・下側凸部
【図１】
2010213819.tif 000003
【図２】
2010213819.tif 000004
【図３】
2010213819.tif 000005
【図４】
2010213819.tif 000006
【図６】
2010213819.tif 000007
【図８】
2010213819.tif 000008
【図９】
2010213819.tif 000009
【図１０】
2010213819.tif 000010
【図５】
2010213819.tif 000011
【図７】
2010213819.tif 000012
【図１１】
2010213819.tif 000013